(57)【要約】      （修正有）【課題】留め具を用いなくとも圧縮機を囲むことができる空気調和機の防音材を提供する。【解決手段】空気調和機の防音材（１００）は、空気調和機の圧縮機を当該圧縮機の周方向に沿って囲む防音材であって、前記圧縮機の周方向に沿う一端部に設けられる一端側スリット（１０１Ａ，１０１Ｂ）と、前記圧縮機の周方向に沿う他端部に設けられる他端側スリット（１０２Ａ，１０２Ｂ）と、を備える。【選択図】図２
2019045082.tif 000002
【特許請求の範囲】
【請求項１】
空気調和機の圧縮機を当該圧縮機の周方向に沿って囲む防音材であって、
前記圧縮機の周方向に沿う一端部に設けられる一端側スリットと、
前記圧縮機の周方向に沿う他端部に設けられる他端側スリットと、
を備える空気調和機の防音材。
【請求項２】
前記圧縮機の軸方向に沿う端辺から前記一端側スリットの先端部までの距離と、前記圧縮機の軸方向に沿う端辺から前記他端側スリットの先端部までの距離とが同じである請求項１に記載の空気調和機の防音材。
【請求項３】
前記圧縮機の周方向に沿う一端部に２つの前記一端側スリットが設けられ、
前記圧縮機の周方向に沿う他端部に２つの前記他端側スリットが設けられ、
２つの前記一端側スリットは、前記圧縮機の周方向に沿って中央に向かって相互に広がる方向に延び、
２つの前記他端側スリットは、前記圧縮機の周方向に沿って中央に向かって相互に狭まる方向に延びる請求項１または２に記載の空気調和機の防音材。
【請求項４】
前記圧縮機の周方向に沿う一端部に１つの前記一端側スリットが設けられ、
前記圧縮機の周方向に沿う他端部に２つの前記他端側スリットが設けられ、
１つの前記一端側スリットは、前記圧縮機の軸方向に沿って延び、
２つの前記他端側スリットは、前記圧縮機の周方向に沿って中央に向かって相互に狭まる方向に延びる請求項１または２に記載の空気調和機の防音材。
【請求項５】
前記圧縮機の軸方向に対して前記圧縮機の周方向に沿う一端部および前記圧縮機の周方向に沿う他端部が同じ角度で傾斜する平行四辺形に形成されている請求項１から４の何れか１項に記載の空気調和機の防音材。
【発明の詳細な説明】
【技術分野】
【０００１】
本発明の実施形態は、空気調和機の防音材に関する。
【背景技術】
【０００２】
空気調和機の室外機は、冷凍サイクルを構成する圧縮機を備えており、この圧縮機の駆動に伴い騒音が発生するという課題がある。そこで、圧縮機から発生する騒音を低下させるために、例えば特許文献１に開示されているように、圧縮機を防音材で囲むことが考えられている。
【先行技術文献】
【特許文献】
【０００３】
【特許文献１】実用新案登録第３０３８８４２号公報
【発明の概要】
【発明が解決しようとする課題】
【０００４】
しかしながら、従来の構成では、この種の防音材は、例えば、ステープラによる針金、紐、マジックテープ（登録商標）などの留め具により固定される。そのため、例えば、留め具の費用が必要となる、留め具により防音材が損傷する、などといった課題が生じる。
【０００５】
そこで、留め具を用いなくとも圧縮機を囲むことができる空気調和機の防音材を提供する。
【課題を解決するための手段】
【０００６】
本実施形態に係る空気調和機の防音材は、空気調和機の圧縮機を当該圧縮機の周方向に沿って囲む防音材であって、一端側スリットおよび他端側スリットを備える。一端側スリットは、前記圧縮機の周方向に沿う一端部に設けられている。他端側スリットは、前記圧縮機の周方向に沿う他端部に設けられている。
【図面の簡単な説明】
【０００７】
【図１】第１実施形態に係る空気調和機の防音材の構成例を圧縮機に巻き付けた状態で概略的に示す斜視図
【図２】第１実施形態に係る空気調和機の防音材の構成例を圧縮機に巻き付けていない状態で概略的に示す図
【図３】比較例に係る防音材の構成例を圧縮機に巻き付けていない状態で概略的に示す図
【図４】第２実施形態に係る空気調和機の防音材の構成例を圧縮機に巻き付けた状態で概略的に示す斜視図
【図５】第２実施形態に係る空気調和機の防音材の構成例を圧縮機に巻き付けていない状態で概略的に示す図
【図６】第２実施形態に係る空気調和機の防音材を圧縮機に巻き付けた状態における両端部の係合部分を概略的に示す図
【図７】第３実施形態に係る空気調和機の防音材の構成例を圧縮機に巻き付けていない状態で概略的に示す図
【発明を実施するための形態】
【０００８】
以下、空気調和機の防音材に係る複数の実施形態について図面を参照しながら説明する。なお、各実施形態において実質的に同一の要素には同一の符号を付し、その説明を省略する。
【０００９】
（第１実施形態）
図１に例示する圧縮機１０は、空気調和機の室外機内の機械室に設けられるものであり、アキュームレータ１１および図示しない熱交換器などとともに冷凍サイクルを構成する。そして、本実施形態では、圧縮機１０およびアキュームレータ１１は、防音材１００により囲まれている。防音材１００は、例えば、フェルト製のコア部の表面おより裏面をゴム製のシートにより挟んだ構成であり、圧縮機１０およびアキュームレータ１１の周方向に沿って巻き付けられるようにして取り付けられる。
【００１０】
図２に例示するように、防音材１００は、圧縮機１０およびアキュームレータ１１を囲んでいない開かれた状態において、矩形状に形成されている。この場合、防音材１００は、圧縮機１０およびアキュームレータ１１の周方向に沿う左右方向の寸法が、圧縮機１０およびアキュームレータ１１の軸方向に沿う上下方向の寸法よりも長くなっている。
【００１１】
防音材１００は、圧縮機１０およびアキュームレータ１１の周囲に巻き付けられた状態で当該圧縮機１０および当該アキュームレータ１１の周方向に沿う一端部、この場合、図２において右側の端部に複数、この場合、２つの右端側スリット１０１Ａ，１０１Ｂを備えている。これら右端側スリット１０１Ａ，１０１Ｂは、一端側スリットの一例であり、本実施形態では、圧縮機１０およびアキュームレータ１１の周方向、つまり、図２における左右方向に沿って、中央側つまり左側に向かって相互に広がる方向に延びている。また、右端側スリット１０１Ａ，１０１Ｂの長さは、同じ長さとなっている。
【００１２】
また、防音材１００は、圧縮機１０およびアキュームレータ１１の周囲に巻き付けられた状態で当該圧縮機１０および当該アキュームレータ１１の周方向に沿う他端部、この場合、図２において左側の端部に複数、この場合、２つの左端側スリット１０２Ａ，１０２Ｂを備えている。これら左端側スリット１０２Ａ，１０２Ｂは、他端側スリットの一例であり、本実施形態では、圧縮機１０およびアキュームレータ１１の周方向、つまり、図２における左右方向に沿って、中央側つまり右側に向かって相互に狭まる方向に延びている。また、左端側スリット１０２Ａ，１０２Ｂの長さは、同じ長さとなっている。
【００１３】
また、本実施形態では、左端側スリット１０２Ａ，１０２Ｂの長さは、右端側スリット１０１Ａ，１０１Ｂの長さとも同じ長さとなっている。また、右端側スリット１０１Ａ，１０１Ｂが防音材１００の右側の端辺に対して傾斜する角度αＡ，αＢ、および、左端側スリット１０２Ａ，１０２Ｂが防音材１００の左側の端辺に対して傾斜する角度βＡ，βＢは、何れも同じ角度で設定されている。
【００１４】
また、防音材１００の上側の端辺から右端側スリット１０１Ａの先端部までの距離Ｄ１と、防音材１００の下側の端辺から右端側スリット１０１Ｂの先端部までの距離Ｄ２と、防音材１００の上側の端辺から左端側スリット１０２Ａの先端部までの距離Ｄ３と、防音材１００の下側の端辺から右端側スリット１０２Ｂの先端部までの距離Ｄ４と、は何れも同じ長さで設定されている。
【００１５】
ここで、防音材１００の上側の端辺は、当該防音材１００が圧縮機１０およびアキュームレータ１１の周囲に巻き付けられた状態で、これら圧縮機１０およびアキュームレータ１１の軸方向に沿う一端側、この場合、上端側の端辺として定義することができる。また、防音材１００の下側の端辺は、当該防音材１００が圧縮機１０およびアキュームレータ１１の周囲に巻き付けられた状態で、これら圧縮機１０およびアキュームレータ１１の軸方向に沿う他端側、この場合、下端側の端辺として定義することができる。
【００１６】
本実施形態に係る空気調和機の防音材１００は、圧縮機１０およびアキュームレータ１１の周方向に沿う一端部に設けられる右端側スリット１０１Ａ，１０１Ｂと、圧縮機１０およびアキュームレータ１１の周方向に沿う他端部に設けられる左端側スリット１０２Ａ，１０２Ｂと、を備える。この構成によれば、図１に例示するように、圧縮機１０およびアキュームレータ１１の周囲に巻き付けた防音材１００を、右端側スリット１０１Ａ，１０１Ｂと左端側スリット１０２Ａ，１０２Ｂとを相互に嵌め込み合うようにすることによって留めることができる。よって、従来とは異なり、留め具を用いなくとも、圧縮機１０およびアキュームレータ１１を防音材１００により囲むことができる。
【００１７】
また、防音材１００によれば、右端側スリット１０１Ａ，１０１Ｂおよび左端側スリット１０２Ａ，１０２Ｂは、防音材１００の周方向の両端辺に対して傾斜しているので、右端側スリット１０１Ａと左端側スリット１０２Ａとが相互に接触し合う長さ、および、右端側スリット１０１Ｂと左端側スリット１０２Ｂとが相互に接触し合う長さを長くすることができる。よって、スリット同士の摩擦が大きくなり、防音材１００の両端部を外れにくくすることができる。
【００１８】
また、防音材１００によれば、上述した距離Ｄ１，Ｄ２，Ｄ３，Ｄ４を相互に同じ長さで設定している。即ち、図１に例示するように、右端側スリット１０１Ａ，１０１Ｂと左端側スリット１０２Ａ，１０２Ｂとを相互に嵌め込み合わせた状態では、右端側スリット１０１Ａの先端部と左端側スリット１０２Ａの先端部とが相互に当接し合い、右端側スリット１０１Ｂの先端部と左端側スリット１０２Ｂの先端部とが相互に当接し合う。このとき、少なくとも、上述した距離Ｄ１と距離Ｄ３を同じ長さとし、また、上述した距離Ｄ２と距離Ｄ４を同じ長さとしておけば、圧縮機１０およびアキュームレータ１１の周方向に沿って巻き付けられた防音材１００の両端部を相互に上下にずれないようにすることができる。これにより、圧縮機１０およびアキュームレータ１１を囲む防音材１００の外観を整ったものとすることができ、見栄えが損なわれることを防止することができる。
【００１９】
また、図３に例示するように、防音材の一端部に当該一端部において中央側に窪む切り欠き部Ｐを設け、防音材の他端部に当該他端部から外側に突出する突出部Ｑを設けた構成では、当該防音材を形成する際に端材Ｒが発生してしまう。これに対して、本実施形態に係る防音材１００によれば、圧縮機１０およびアキュームレータ１１の周方向に沿う両端部にスリット１０１Ａ，１０１Ｂ，１０２Ａ，１０２Ｂを設けた構成であることから、防音材１００を形成する際に端材が生じず、防音材１００の材料を有効に活用することができる。
【００２０】
（第２実施形態）
図４および図５に例示する防音材２００は、上述した矩形状の防音材１００を平行四辺形状に変更したものである。即ち、防音材２００は、圧縮機１０およびアキュームレータ１１の周囲に巻き付けられた状態で当該圧縮機１０および当該アキュームレータ１１の周方向に沿う両端部の端辺が、圧縮機１０およびアキュームレータ１１の周方向あるいは軸方向に対して同じ角度で傾斜するような形状となっている。
【００２１】
図６に例示するように、このような平行四辺形型の防音材２００を圧縮機１０およびアキュームレータ１１の周囲に巻き付けた状態では、圧縮機１０およびアキュームレータ１１の周囲において丸まった防音材２００が広がろうとする方向Ｘ１，Ｘ２と、防音材２００の一端部と他端部とが相互に嵌り込む方向Ｙ１，Ｙ２とが相互に異なる方向に指向するようになる。そのため、防音材２００の一端部と他端部との係合が、防音材２００が広がろうとする力に対して強く抗することができ、防音材２００の端部同士を抜けにくくすることができる。
【００２２】
なお、図５に例示するように、防音材２００も、防音材２００の上側の端辺から右端側スリット２０１Ａの先端部までの距離Ｄ１と、防音材２００の下側の端辺から右端側スリット２０１Ｂの先端部までの距離Ｄ２と、防音材２００の上側の端辺から左端側スリット２０２Ａの先端部までの距離Ｄ３と、防音材２００の下側の端辺から右端側スリット２０２Ｂの先端部までの距離Ｄ４と、が何れも同じ長さで設定されている。従って、圧縮機１０およびアキュームレータ１１の周方向に沿って巻き付けられた防音材２００の両端部を相互に上下にずれないようにすることができ、圧縮機１０およびアキュームレータ１１を囲む防音材２００の外観を整ったものとすることができる。また、防音材２００も、右端側スリット２０１Ａ，２０１Ｂが防音材２００の右側の端辺に対して傾斜する角度αＡ，αＢ、および、左端側スリット２０２Ａ，２０２Ｂが防音材２００の左側の端辺に対して傾斜する角度βＡ，βＢが、何れも同じ角度で設定されている。
【００２３】
（第３実施形態）
図７に例示する防音材３００は、圧縮機１０およびアキュームレータ１１の周囲に巻き付けられた状態で当該圧縮機１０および当該アキュームレータ１１の周方向に沿う一端部、この場合、図７において右側の端部に１つの右端側スリット３０１が設けられている。右端側スリット３０１は、一端側スリットの一例であり、本実施形態では、圧縮機１０およびアキュームレータ１１の軸方向、つまり、図７における上下方向に沿って直線状に延びている。
【００２４】
また、防音材３００は、圧縮機１０およびアキュームレータ１１の周囲に巻き付けられた状態で当該圧縮機１０および当該アキュームレータ１１の周方向に沿う他端部、この場合、図７において左側の端部に複数、この場合、２つの左端側スリット３０２Ａ，３０２Ｂを備えている。これら左端側スリット３０２Ａ，３０２Ｂは、他端側スリットの一例であり、本実施形態では、圧縮機１０およびアキュームレータ１１の周方向、つまり、図７における左右方向に沿って、中央側つまり右側に向かって相互に狭まる方向に延びている。なお、左端側スリット３０２Ａ，３０２Ｂが防音材３００の左側の端辺に対して傾斜する角度βＡ，βＢは、同じ角度で設定されている。また、防音材３００は、左端側スリット３０２Ａと左端側スリット３０２Ｂとの間に片部３０３が形成されている。
【００２５】
本実施形態に係る空気調和機の防音材３００は、圧縮機１０およびアキュームレータ１１の周方向に沿う一端部に設けられる直線状の１つの右端側スリット３０１と、圧縮機１０およびアキュームレータ１１の周方向に沿う他端部に設けられる左端側スリット３０２Ａ，３０２Ｂと、を備える。この構成によれば、圧縮機１０およびアキュームレータ１１の周囲に巻き付けた防音材３００を、右端側スリット３０１に、左端側スリット３０２Ａ，３０２Ｂにより形成される片部３０３を差し込むようにすることによって留めることができる。よって、従来とは異なり、留め具を用いなくとも、圧縮機１０およびアキュームレータ１１を防音材３００により囲むことができる。
【００２６】
なお、防音材３００も、防音材３００の上側の端辺から右端側スリット３０１の上側の端部までの距離Ｄ１と、防音材３００の下側の端辺から右端側スリット３０１の下側の端部までの距離Ｄ２と、防音材３００の上側の端辺から左端側スリット３０２Ａの先端部までの距離Ｄ３と、防音材３００の下側の端辺から右端側スリット３０２Ｂの先端部までの距離Ｄ４と、が何れも同じ長さで設定されている。従って、圧縮機１０およびアキュームレータ１１の周方向に沿って巻き付けられた防音材３００の両端部を相互に上下にずれないようにすることができ、圧縮機１０およびアキュームレータ１１を囲む防音材２００の外観を整ったものとすることができる。
【００２７】
（その他の実施形態）
本実施形態は、上述した複数の実施形態に限られるものではなく、例えば、次のように変形または拡張することができる。例えば、上述した複数の実施形態を適宜組み合わせて実施することができる。また、スリットの長さ、防音材の端辺に対するスリットの傾斜角度、スリットの先端部と防音材の端辺との間の距離などの各部の寸法は、適宜変更して実施することができる。このとき、少なくとも、上述した距離Ｄ１と距離Ｄ３とを同じ長さとし、上述した距離Ｄ２と距離Ｄ４とを同じ長さとすることにより、圧縮機１０およびアキュームレータ１１の周方向に沿って巻き付けられた防音材の両端部を相互に上下にずれないようにすることができ、見栄えの向上を図ることができる。また、上述の複数の実施形態における「右端側」および「左端側」は、説明の便宜上で用いた表現であり、例えば、上述した各実施形態において、右端側と左端側とを入れ換えた構成としてもよい。
【００２８】
本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００２９】
図面中、１０は圧縮機、１００は空気調和機の防音材、１０１Ａ，１０１Ｂは右端側スリット（一端側スリット）、１０２Ａ，１０２Ｂは左端側スリット（他端側スリット）、２００は空気調和機の防音材、２０１Ａ，２０１Ｂは右端側スリット（一端側スリット）、２０２Ａ，２０２Ｂは左端側スリット（他端側スリット）、３００は空気調和機の防音材、３０１は右端側スリット（一端側スリット）、３０２Ａ，３０２Ｂは左端側スリット（他端側スリット）を示す。
【図１】
2019045082.tif 000003
【図２】
2019045082.tif 000004
【図３】
2019045082.tif 000005
【図４】
2019045082.tif 000006
【図５】
2019045082.tif 000007
【図６】
2019045082.tif 000008
【図７】
2019045082.tif 000009